(57)【要約】      （修正有）【課題】製造コストの増加、サイズの増大、消費電力の増大といった問題を回避することができる投射型表示装置を提供する。【解決手段】投射型表示装置は、光源１０、ライトバルブ装置３０、光源１０からの異なる色の光のそれぞれを、ライトバルブ装置３０の異なる領域３０Ｒ，３０Ｇ，３０Ｂに入射させる照明光学系２０、及び、ライトバルブ装置３０の異なる領域３０Ｒ，３０Ｇ，３０Ｂからの異なる色の画像を１つの画像に纏める投写光学系４０を備えている。【選択図】図１
2016177171.tif 000002
【特許請求の範囲】
【請求項１】
光源、
ライトバルブ装置、
光源からの異なる色の光のそれぞれを、ライトバルブ装置の異なる領域に入射させる照明光学系、及び、
ライトバルブ装置の異なる領域からの異なる色の画像を１つの画像に纏める投写光学系、
を備えた投射型表示装置。
【請求項２】
ライトバルブ装置の異なる領域は、３つの領域から構成されている請求項１に記載の投射型表示装置。
【請求項３】
ライトバルブ装置の３つの異なる領域において、それぞれ、赤色の画像、緑色の画像及び青色の画像を形成する請求項２に記載の投射型表示装置。
【請求項４】
ライトバルブ装置の３つの異なる領域以外の領域は、黒色を表示する請求項３に記載の投射型表示装置。
【請求項５】
ライトバルブ装置は、４０９６×２１６０の画素を有し、
ライトバルブ装置の異なる領域のそれぞれは、１９２０×１０８０の画素から成る請求項２に記載の投射型表示装置。
【請求項６】
ライトバルブ装置は、反射型液晶ライトバルブ装置から成る請求項２に記載の投射型表示装置。
【請求項７】
照明光学系は、１つの偏光ビームスプリッターを備えている請求項１に記載の投射型表示装置。
【請求項８】
投写光学系は、１つのクロスプリズムを備えている請求項１に記載の投射型表示装置。
【請求項９】
ライトバルブ装置の異なる領域のそれぞれに画像信号を供給する画像制御回路を備えている請求項１に記載の投射型表示装置。
【請求項１０】
画像信号を色分解して複数の色分解画像信号を生成し、
ライトバルブ装置の複数の領域のそれぞれにおいて、それぞれの色分解画像信号に基づく画像を形成し、
ライトバルブ装置の複数の領域において形成された画像を１つの画像に纏める画像表示方法。
【発明の詳細な説明】
【技術分野】
【０００１】
本開示は、投射型表示装置及び画像表示方法に関する。
【背景技術】
【０００２】
高画質タイプの投射型表示装置（プロジェクター）は、その高画質を表現するための機能として、明るさ、階調の豊富さ、ハイフレームレートへの対応が要求される。安価に製作できる単板式プロジェクターでは、これらの機能の実現が難しい上、カラーブレーキングという現象が原理的に存在し、高画質化が困難である。従って、高画質タイプのプロジェクターとして、赤色表示のライトバルブ装置、緑色表示のライトバルブ装置及び青色表示のライトバルブ装置を１枚ずつ使用する３板式プロジェクターが一般的である（例えば、特開２００８−１８５８７３参照）。
【先行技術文献】
【特許文献】
【０００３】
【特許文献１】特開２００８−１８５８７３
【発明の概要】
【発明が解決しようとする課題】
【０００４】
しかしながら、３板式プロジェクターには、３枚のライトバルブ装置、各ライトバルブ装置を駆動するための３つの駆動用ドライバＩＣが必要とされ、製造コストの増加、サイズ（筐体寸法）の増大、消費電力の増大といった問題がある。また、３枚のライトバルブ装置の組み立てに多くの工程を要するし、高い精度が要求される。
【０００５】
従って、本開示の目的は、製造コストの増加、サイズの増大、消費電力の増大といった問題を回避することができ、組み立てに多くの工程を要すること無く、しかも、高い組立精度が要求されることの無い構成、構造の投射型表示装置、及び、画像表示方法を提供することにある。
【課題を解決するための手段】
【０００６】
上記の目的を達成するための本開示の投射型表示装置は、
光源、
ライトバルブ装置、
光源からの異なる色の光のそれぞれを、ライトバルブ装置の異なる領域に入射させる照明光学系、及び、
ライトバルブ装置の異なる領域からの異なる色の画像を１つの画像に纏める投写光学系、
を備えている。
【０００７】
上記の目的を達成するための本開示の画像表示方法は、
画像信号を色分解して複数の色分解画像信号を生成し、
ライトバルブ装置の複数の領域のそれぞれにおいて、それぞれの色分解画像信号に基づく画像を形成し、
ライトバルブ装置の複数の領域において形成された画像を１つの画像に纏める。
【発明の効果】
【０００８】
本開示の投射型表示装置にあっては、１つのライトバルブ装置が複数の領域に分割され、各分割された領域において異なる色の画像を形成し、これらの異なる色の画像を１つの画像に纏める。また、本開示の画像表示方法にあっては、１つのライトバルブ装置の複数の領域のそれぞれにおいて、画像信号を色分解して得られた色分解画像信号に基づく画像を形成し、これらの画像を１つの画像に纏める。それ故、投射型表示装置の製造コストの増加、サイズの増大、消費電力の増大といった問題を回避することができるし、組み立てに多くの工程を要することが無く、しかも、高い組立精度が要求されることも無い。尚、本明細書に記載された効果はあくまで例示であって限定されるものでは無く、また、付加的な効果があってもよい。
【図面の簡単な説明】
【０００９】
【図１】図１は、実施例１の投射型表示装置の概念図である。
【図２】図２の（Ａ）、（Ｂ）及び（Ｃ）は、実施例１の投射型表示装置の要部の模式的な側面図、ライトバルブ装置の模式的な正面図、及び、実施例１の投射型表示装置の要部の模式的な上面図である。
【図３】図３は、実施例１の投射型表示装置の要部の模式的な斜視透視図である。
【図４】図４Ａ及び図４Ｂは、実施例１の投射型表示装置及び従来の３板式投射型表示装置における画像制御回路の概念図である。
【発明を実施するための形態】
【００１０】
以下、図面を参照して、実施例に基づき本開示を説明するが、本開示は実施例に限定されるものではなく、実施例における種々の数値や材料は例示である。尚、説明は、以下の順序で行う。
１．本開示の投射型表示装置及び画像表示方法、全般に関する説明
２．実施例１（本開示の投射型表示装置及び画像表示方法）
３．その他
【００１１】
〈本開示の投射型表示装置及び画像表示方法、全般に関する説明〉
本開示の画像表示方法にあっては、本開示の投射型表示装置を用いることが好ましい。即ち、本開示の投射型表示装置を用いた本開示の画像表示方法は、
光源、
ライトバルブ装置、
光源からの異なる色の光のそれぞれを、ライトバルブ装置の異なる領域に入射させる照明光学系、及び、
ライトバルブ装置の異なる領域からの異なる色の画像を１つの画像に纏める投写光学系、
を備えた投射型表示装置を用いた画像表示方法であって、
画像信号を色分解して複数の色分解画像信号を生成し、
光源からの異なる色の光のそれぞれを照明光学系を介してライトバルブ装置の異なる領域に入射させ、ライトバルブ装置の複数の領域のそれぞれにおいて、それぞれの色分解画像信号に基づく画像を形成し、
ライトバルブ装置の複数の領域において形成された画像を投写光学系を介して１つの画像に纏める。但し、本開示の画像表示方法は、このような本開示の投射型表示装置を用いる方法に限定するものではない。
【００１２】
本開示の投射型表示装置、あるいは、本開示の投射型表示装置を用いた画像表示方法における投射型表示装置（以下、これらの投射型表示装置を総称して、『本開示の投射型表示装置等』と呼ぶ）において、限定するものではないが、ライトバルブ装置の異なる領域は、３つの領域から構成されている形態とすることができる。そして、この場合、ライトバルブ装置の３つの異なる領域において、それぞれ、赤色の画像、緑色の画像及び青色の画像を形成する形態とすることができ、更には、ライトバルブ装置の３つの異なる領域以外の領域は、黒色を表示する形態とすることができる。
【００１３】
そして、これらの形態において、ライトバルブ装置は４０９６×２１６０の画素を有し、ライトバルブ装置の異なる領域のそれぞれは１９２０×１０８０の画素から成る構成とすることができる。また、このような構成を含むこれらの形態において、ライトバルブ装置は、反射型液晶ライトバルブ装置から成る構成とすることができる。更には、これらの形態、構成を含む本開示の投射型表示装置等において、照明光学系は１つの偏光ビームスプリッターを備えている構成とすることができる。更には、これらの形態、構成を含む本開示の投射型表示装置等において、投写光学系は、プリズム合成光学系、具体的には、１つのクロスプリズム（より具体的には、例えば、４つの三角柱プリズムが貼り合わされ、貼り合わせ面が反射ダイクロイックミラーとなるように作製された、複数の光路を単一光路に合成するクロスダイクロイックプリズム）を備えている構成とすることができる。投写光学系には、必要に応じて、更に、赤色、緑色、青色の光の偏光状態を調整するための偏光変換光学系が備えられていてもよい。
【００１４】
更には、以上に説明した好ましい形態、構成を含む本開示の投射型表示装置等にあっては、ライトバルブ装置の異なる領域のそれぞれに画像信号を供給する画像制御回路を備えている形態とすることができる。
【００１５】
本開示の投射型表示装置等において、光源は、赤色、緑色、青色を出射する３種類の発光素子（例えば、半導体レーザ素子や発光ダイオード）から構成することができるし、キセノンランプや高圧水銀ランプ（超高圧水銀ランプを含む）、メタルハライドランプ、白色を発光する発光素子（例えば、発光ダイオード）から構成することができる。後者の場合、照明光学系に備えられた色分離光学系（具体的には、例えば、ガラス板上に誘電体多層膜を形成して成るダイクロイックミラー）を用いて、キセノンランプや高圧水銀ランプ、メタルハライドランプ、白色を発光する発光素子から出射された光から、赤色、緑色及び青色を分離すればよい。
【００１６】
照明光学系は、上述したとおり、１つの偏光ビームスプリッターを備えているが、その他、場合によっては、フライアイインテグレータやロッドインテグレータといったインテグレータ、偏光変換光学系、偏光変換インテグレータ光学系、ダイクロイックミラー、コンデンサレンズ等の各種レンズ系を備えている構成とすることもできる。更には、必要に応じて、マイクロレンズアレイが備えられていてもよい。
【００１７】
空間光変調装置あるいは光弁とも呼ばれるライトバルブ装置は、２次元面内の各空間位置における光学特性（例えば、光反射率や光透過率等）を制御する装置であり、ライトバルブ装置への入力信号（画像信号）の書き込みは、例えば、電気アドレス方式に基づき行うことができる。ライトバルブ装置を反射型液晶ライトバルブ装置から構成する場合、反射型液晶ライトバルブ装置は、具体的には、ＬＣＯＳ（Liquid Crystal On Silicon）から構成することができるし、ＨＴＰＳ（High Temperature Polycrystalline Silicon）−ＴＦＴ駆動の反射型液晶ライトバルブ装置から構成することもできる。但し、ライトバルブ装置は、これに限定するものではなく、透過型液晶ライトバルブ装置（具体的には、例えば、ＨＴＰＳ−ＴＦＴ駆動の透過型液晶ライトバルブ装置）から構成することもできる。あるいは又、ライトバルブ装置を、例えば、ＭＥＭＳ技術を応用したデジタルマイクロミラーから構成することもできる。
【００１８】
投写光学系によって１つに纏められた（合成された）画像は、投写光学系に備えられた投影レンズを介してスクリーンに投影される。
【実施例１】
【００１９】
実施例１は、本開示の投射型表示装置及び画像表示方法に関する。実施例１の投射型表示装置の概念図を図１に示し、投射型表示装置の要部の模式的な側面図を図２の（Ａ）に示し、模式的な上面図を図２の（Ｃ）に示し、ライトバルブ装置の模式的な正面図を図２の（Ｂ）に示す。また、模式的な斜視透視図を図３に示す。
【００２０】
実施例１の投射型表示装置は、
光源１０、
ライトバルブ装置３０、
光源１０からの異なる色の光のそれぞれを、ライトバルブ装置３０の異なる領域に入射させる照明光学系２０、及び、
ライトバルブ装置３０の異なる領域からの異なる色の画像を１つの画像に纏める投写光学系４０、
を備えている。
【００２１】
ここで、ライトバルブ装置３０の異なる領域は、３つの領域３０Ｒ，３０Ｇ，３０Ｂから構成されている。具体的には、ライトバルブ装置３０の３つの異なる領域３０Ｒ，３０Ｇ，３０Ｂにおいて、それぞれ、赤色の画像、緑色の画像及び青色の画像を形成する。図２の（Ｂ）においては、文字「Ａ」を示す画像が形成されている状態を示す。赤色の画像を形成する領域を赤色画像形成領域３０Ｒ、緑色の画像を形成する領域を緑色画像形成領域３０Ｇ、青色の画像を形成する領域を青色画像形成領域３０Ｂと呼ぶ。色及び輝度が異なる点を除き同じ画像が、赤色画像形成領域３０Ｒ、緑色画像形成領域３０Ｇ及び青色画像形成領域３０Ｂに形成される。また、ライトバルブ装置３０の３つの異なる領域３０Ｒ，３０Ｇ，３０Ｂ以外の領域は、黒色を表示する。この黒色の画像を表示する領域（所謂、ブラックマトリクス領域）を領域ＢＭと呼ぶ。ライトバルブ装置３０は、反射型液晶ライトバルブ装置、より具体的には、ＬＣＯＳから構成されている。そして、ライトバルブ装置３０は４０９６×２１６０の画素を有し、ライトバルブ装置３０の異なる領域３０Ｒ，３０Ｇ，３０Ｂのそれぞれは１９２０×１０８０の画素から成る。即ち、所謂「４Ｋ」用のＬＣＯＳを使用して、フルハイビジョンの画像を表示することが可能となり、従来のフルハイビジョンの３板式投射型表示装置と同等の解像度の画像表示を行うことができる。
【００２２】
照明光学系２０は１つの偏光ビームスプリッターＰＢＳを備えている。また、投写光学系４０は、プリズム合成光学系、具体的には、１つのクロスプリズム（より具体的には、クロスダイクロイックプリズム４１）、及び、ミラー４２Ｒ，４２Ｂを備えている。尚、ミラー４２Ｒ，４２Ｂの光入射側あるいは光出射側に、必要に応じて、赤色及び青色の光の偏光状態を調整するための偏光変換光学系（具体的には、１／２波長板）が備えられていてもよい。
【００２３】
光源１０は、限定するものではないが、赤色、緑色、青色を出射する３種類の発光素子（例えば、発光ダイオード）から構成されている。また、投写光学系４０によって１つに纏められた（合成された）画像は、投写光学系４０に備えられた投影レンズ（図示せず）を介してスクリーン（図示せず）に投影される。
【００２４】
また、図４Ａに概念図を示すように、実施例１の投射型表示装置は、ライトバルブ装置３０の異なる領域３０Ｒ，３０Ｇ，３０Ｂのそれぞれに画像信号を供給する画像制御回路５０を備えている。尚、図４Ｂには、従来の３板式投射型表示装置における画像制御回路の概念図を示す。
【００２５】
実施例１の投射型表示装置にあっては、光源１０からの光が、照明光学系２０に備えられた１つの偏光ビームスプリッターＰＢＳに入射する。偏光ビームスプリッターＰＢＳにあっては、ｐ偏光の光は偏光ビームスプリッターＰＢＳを通過する。一方、ｓ偏光の光は偏光ビームスプリッターＰＢＳで反射され、ライトバルブ装置３０へと向かう。ライトバルブ装置３０に衝突し、ライトバルブ装置３０によって反射された光はｐ偏光の光となり、光路によっては、ミラー４２Ｒ，４２Ｂで反射され、投写光学系４０を構成するクロスダイクロイックプリズム４１へと向かう。尚、赤色及び青色の光の偏光状態を調整するための偏光変換光学系（具体的には、１／２波長板）が備えられている場合には、ｓ偏光の赤色の光及び青色の光がクロスダイクロイックプリズム４１へと向かう。そして、赤色の光（赤色の画像）、緑色の光（緑色の画像）及び青色の光（青色の画像）がクロスダイクロイックプリズム４１で合成され、１つの画像に纏められる。この１つに纏められた画像は、投写光学系４０に備えられた投影レンズ（図示せず）を介してスクリーン（図示せず）に投影される。
【００２６】
即ち、画像制御回路５０にあっては、外部からの画像信号（図４におけるＲ用データ、Ｇ用データ、Ｂ用データを参照）を、集積回路ＩＣによって色分解して、複数の色分解画像信号（色分解された画像信号）を生成する。この複数の色分解画像信号は、ＲＧＢ駆動用ドライバに送られ、赤色の画像を形成する領域（赤色画像形成領域）３０Ｒ、緑色の画像を形成する領域（緑色画像形成領域）３０Ｇ、青色の画像を形成する領域（青色画像形成領域）３０Ｂのそれぞれを駆動するための駆動信号が色分解画像信号に基づき生成され、各領域３０Ｒ，３０Ｇ，３０Ｂに送られる。即ち、１チャンネルの帯域で、３つの色分解画像信号の処理を行う。このように、光源１０からの異なる色の光のそれぞれを照明光学系２０を介してライトバルブ装置３０の異なる領域３０Ｒ，３０Ｇ，３０Ｂに入射させる一方、ライトバルブ装置３０の複数の領域３０Ｒ，３０Ｇ，３０Ｂのそれぞれにおいてそれぞれの色分解画像信号に基づく画像を形成する。そして、ライトバルブ装置３０の複数の領域３０Ｒ，３０Ｇ，３０Ｂのそれぞれにおいてそれぞれの色分解画像信号に基づき形成された画像を、投写光学系４０を介して１つの画像に纏め、投写光学系４０に備えられた投影レンズ（図示せず）を介してスクリーン（図示せず）に投影する。
【００２７】
ところで、従来の３板式投射型表示装置にあっては、図４Ｂに示すように、３枚のライトバルブ装置及び３つの駆動用ドライバが必要とされ、また、ライトバルブ装置のサイズをカバーする各種光学部材（照明光学系や投写光学系を構成する各種光学部材）が、各ライトバルブ装置に必要とされる。その結果、製造コストの増加、投射型表示装置の大きさの増加、消費電力の増加を招いている。尚、ライトバルブ装置以外の部品・部材にあっては、特性維持のため、小型化が困難であるが故に、投射型表示装置全体の小型化は困難である。しかも、３枚のライトバルブ装置と１つのクロスダイクロイックプリズムとを精確に位置合わせして組み立てる必要があり、画素サイズが小さくなるほど、組立コストの増加、組立難度の上昇を招いている。しかも、３枚のライトバルブ装置及び３つの駆動用ドライバが存在するので、冷却システムの複雑化、大型化、消費電力の増大を招く。
【００２８】
一方、実施例１の投射型表示装置にあっては、１枚のライトバルブ装置３０、１つのＲＧＢ駆動用ドライバを備えればよいので、製造コストの低減、光学部品や光学部材の小型化、光学部品や光学部材の点数の削減、駆動基板の小型化、投射型表示装置全体の小型化、消費電力の低減を図ることができる。しかも、１枚のライトバルブ装置と１つのクロスダイクロイックプリズムとを精確に位置合わせして組み立てればよいので、画素サイズが小さくなっても、組立コストの増加、組立難度の上昇を招くことが無い。即ち、ライトバルブ装置の水平方向をＸ方向、垂直方向をＹ方向としたとき、Ｚ軸周りの回転に関する位置合わせズレが問題となることがないし、Ｘ方向、Ｙ方向の位置合わせズレは、画像信号処理を行うことで（具体的には、例えば、Ｘ方向やＹ方向へ所望の画素数分だけ、画像を移動させるように画像信号処理を行うことで）、調整することが可能である。しかも、１枚のライトバルブ装置及び１つの駆動用ドライバを備えればよいので、発熱量の低減を図ることができ、冷却システムの簡素化、小型化、消費電力の低減を図ることができる。即ち、冷却ダクトの削減、冷却用ファンの数の削減、空気流量の低減等を図ることができる。しかも、静穏化を図ることもできる。
【００２９】
また、液晶ライトバルブ装置にあっては、輝度の異なる画素が隣接した状態となった場合、ディスクリネーションという液晶配向乱れ領域が生じ得る。配向乱れ領域は、光学部材のレイアウトにより発生場所が異なることがあり、この場合、液晶配向乱れ領域に色付きが発生することがある。そのため、ディスクリネーションに起因した色付き抑制のために、液晶分子の配向方向が異なる２種類の液晶ライトバルブ装置を作製することが必要とされる場合がある。一方、実施例１の投射型表示装置にあっては、１枚のライトバルブ装置３０によって赤色の画像、緑色の画像及び青色の画像を形成するが、投写光学系４０のような構成により画質低下部分を一致させることが容易にできるため、色付き抑制が可能である。
【００３０】
以上のとおり、実施例１の投射型表示装置にあっては、１つのライトバルブ装置が複数の領域に分割され、各分割された領域において異なる色の画像を形成し、これらの異なる色の画像を１つの画像に纏める。また、本開示の画像表示方法にあっては、１つのライトバルブ装置の複数の領域のそれぞれにおいて、画像信号を色分解して得られた色分解画像信号に基づく画像を形成し、これらの画像を１つの画像に纏める。それ故、投射型表示装置のサイズの増大、消費電力の増大等の問題の回避や、組み立て工程の削減、高い組立精度が要求され難いことによる製造コスト増加を回避することができる。また、３板式投射型表示装置のように３枚のライトバルブ装置のマッチングを取る必要が無いし、色温度のバラツキを考慮する必要も無い。
【００３１】
以上、本開示の投射型表示装置及び画像表示方法を好ましい実施例に基づき説明したが、本開示の投射型表示装置及び画像表示方法は実施例に限定されるものではない。実施例において説明した投射型表示装置の構成、構造を、適宜、変更することができることは云うまでもない。
【００３２】
尚、本開示は、以下のような構成を取ることもできる。
［Ａ０１］《投射型表示装置》
光源、
ライトバルブ装置、
光源からの異なる色の光のそれぞれを、ライトバルブ装置の異なる領域に入射させる照明光学系、及び、
ライトバルブ装置の異なる領域からの異なる色の画像を１つの画像に纏める投写光学系、
を備えた投射型表示装置。
［Ａ０２］ライトバルブ装置の異なる領域は、３つの領域から構成されている［Ａ０１］に記載の投射型表示装置。
［Ａ０３］ライトバルブ装置の３つの異なる領域において、それぞれ、赤色の画像、緑色の画像及び青色の画像を形成する［Ａ０２］に記載の投射型表示装置。
［Ａ０４］ライトバルブ装置の３つの異なる領域以外の領域は、黒色を表示する［Ａ０３］に記載の投射型表示装置。
［Ａ０５］ライトバルブ装置は、４０９６×２１６０の画素を有し、
ライトバルブ装置の異なる領域のそれぞれは、１９２０×１０８０の画素から成る［Ａ０２］乃至［Ａ０４］のいずれか１項に記載の投射型表示装置。
［Ａ０６］ライトバルブ装置は、反射型液晶ライトバルブ装置から成る［Ａ０２］乃至［Ａ０５］のいずれか１項に記載の投射型表示装置。
［Ａ０７］照明光学系は、１つの偏光ビームスプリッターを備えている［Ａ０１］乃至［Ａ０６］のいずれか１項に記載の投射型表示装置。
［Ａ０８］投写光学系は、１つのクロスプリズムを備えている［Ａ０１］乃至［Ａ０７］のいずれか１項に記載の投射型表示装置。
［Ａ０９］ライトバルブ装置の異なる領域のそれぞれに画像信号を供給する画像制御回路を備えている［Ａ０１］乃至［Ａ０８］のいずれか１項に記載の投射型表示装置。
［Ｂ０１］《画像表示方法》
画像信号を色分解して複数の色分解画像信号を生成し、
ライトバルブ装置の複数の領域のそれぞれにおいて、それぞれの色分解画像信号に基づく画像を形成し、
ライトバルブ装置の複数の領域において形成された画像を１つの画像に纏める画像表示方法。
［Ｃ０１］《画像表示方法》
光源、
ライトバルブ装置、
光源からの異なる色の光のそれぞれを、ライトバルブ装置の異なる領域に入射させる照明光学系、及び、
ライトバルブ装置の異なる領域からの異なる色の画像を１つの画像に纏める投写光学系、
を備えた投射型表示装置を用いた画像表示方法であって、
画像信号を色分解して複数の色分解画像信号を生成し、
光源からの異なる色の光のそれぞれを照明光学系を介してライトバルブ装置の異なる領域に入射させ、ライトバルブ装置の複数の領域のそれぞれにおいて、それぞれの色分解画像信号に基づく画像を形成し、
ライトバルブ装置の複数の領域において形成された画像を投写光学系を介して１つの画像に纏める画像表示方法。
［Ｃ０２］ライトバルブ装置の異なる領域は、３つの領域から構成されている［Ｃ０１］に記載の画像表示方法。
［Ｃ０３］ライトバルブ装置の３つの異なる領域において、それぞれ、赤色の画像、緑色の画像及び青色の画像を形成する［Ｃ０２］に記載の画像表示方法。
［Ｃ０４］ライトバルブ装置の３つの異なる領域以外の領域は、黒色を表示する［Ｃ０３］に記載の画像表示方法。
［Ｃ０５］ライトバルブ装置は、４０９６×２１６０の画素を有し、
ライトバルブ装置の異なる領域のそれぞれは、１９２０×１０８０の画素から成る［Ｃ０２］乃至［Ｃ０４］のいずれか１項に記載の画像表示方法。
［Ｃ０６］ライトバルブ装置は、反射型液晶ライトバルブ装置から成る［Ｃ０２］乃至［Ｃ０５］のいずれか１項に記載の画像表示方法。
［Ｃ０７］照明光学系は、１つの偏光ビームスプリッターを備えている［Ｃ０１］乃至［Ｃ０６］のいずれか１項に記載の画像表示方法。
［Ｃ０８］投写光学系は、１つのクロスプリズムを備えている［Ｃ０１］乃至［Ｃ０７］のいずれか１項に記載の画像表示方法。
［Ｃ０９］ライトバルブ装置の異なる領域のそれぞれに画像信号を供給する画像制御回路を備えている［Ｃ０１］乃至［Ｃ０８］のいずれか１項に記載の画像表示方法。
【符号の説明】
【００３３】
１０・・・光源、２０・・・照明光学系、ＰＢＳ・・・偏光ビームスプリッター、３０・・・ライトバルブ装置、３０Ｒ，３０Ｇ，３０Ｂ・・・ライトバルブ装置の異なる領域、ＢＭ・・・黒色の画像を表示する領域、４０・・・投写光学系、４１・・・クロスダイクロイックプリズム、４２Ｒ，４２Ｂ・・・ミラー、５０・・・画像制御回路、ＩＣ・・・集積回路
【図１】
2016177171.tif 000003
【図２】
2016177171.tif 000004
【図３】
2016177171.tif 000005
【図４】
2016177171.tif 000006